(57)【特許請求の範囲】
【請求項１】
遊技盤の前面に固定されるとともに、当該遊技盤の遊技領域に打ち込まれた遊技球が入球可能な開口部を有する固定部材と、当該固定部材に設けられた後面が開口する筒状の案内筒部内に回転可能に収容され、前記固定部材の後部に取り付けられるモータにより回転させられることにより、前記開口部に入球した遊技球を収容して回転方向へ移送可能な回転移送体とを有する入賞装置を備えた遊技機において、
前記入賞装置は、さらに前記回転移送体と前記回転移送体の後方に配置される前記モータとの間に配置されて前記モータに固定されるとともに、前記固定部材の後部に着脱可能に固定される裏カバーと、当該裏カバーの後面を照射可能な光源と、前記裏カバーを前記固定部材に着脱可能に固定するためのねじを含み、
前記固定部材は、前記案内筒部の後端に設けられ後方が開口する係合溝を有し、
前記回転移送体は、前記固定部材の前記案内筒部内に前記案内筒部の後方から回転可能に収容可能であるとともに、外周に設けられ前記固定部材の前記開口部に入球した遊技球を収容して回転方向へ移送可能な凹部と、回転面に設けられ縞模様の光拡散部を設けた透光性のレンズ部を有し、
前記裏カバーは、前端が閉塞され後端が開口し、前記固定部材の前記案内筒部内に嵌合可能な筒状部と、当該筒状部の外周に設けられ、前記案内筒部の係合溝に後方から係合し前記固定部材に対する前記裏カバーの位置決めを行う係合突部と、前記固定部材の前記案内筒部の後面の開口を閉塞するとともに、前記回転移送体の前記レンズ部の後面に対向し、かつ後面が前記光源に照射される透光性のレンズ部と、当該レンズ部に設けられ、前記回転移送体の回転に伴って、前記回転移送体の前記レンズ部の前面に見える模様が縞模様、格子模様に刻々と変化しうるように形成される縞模様の光拡散部と、前記裏カバーの前記レンズの下部にあって前記回転移送体の前記凹部に移送された遊技球を後方へ排出可能な通過窓とを有し、
前記ねじは、前記モータが前記裏カバーに固定され、かつ前記回転移送体が前記モータの回転軸に連結された状態で、前記裏カバーを前記裏カバーの後方から前記固定部材に着脱可能に固定し得ることを特徴とする遊技機。
【請求項２】
前記回転移送体に、前記凹部に収容された遊技球が前記凹部から前方へ落ちないように前記凹部の前面を閉鎖する壁部を設けたことを特徴とする請求項１記載の遊技機。
【発明の詳細な説明】
【技術分野】
【０００１】
本発明は、遊技盤面の遊技領域に打ち込まれた遊技球が入球可能な入賞装置を備えたパチンコ機等の遊技機に関する。
【背景技術】
【０００２】
所謂第３種に属するパチンコ機における遊技盤面には、図柄、数字等で構成される識別情報を変動及び停止表示可能な表示装置と、表示装置の下方に配置される図柄始動口と、図柄始動口の下方に配置される特定入賞装置と、表示装置の右方に配置される入賞装置をなす第３種始動口と、第３種始動口の下方に配置される大入賞口とが配置され、遊技盤面の遊技領域に打ち込まれた遊技球が、図柄始動口に入賞すると、それを契機に表示装置の識別情報が変動して、所定時間後に識別情報が所定の表示形態で停止することにより、特定入賞装置の特定入賞口が一定時間開放し、その時間内に、特定入賞口に遊技球を入球させると、遊技者に有利な特定遊技状態となる。そして、この特定遊技状態において、第３種始動口の開口部に遊技球を入球させると、これを契機に遊技球が入賞しやすいように大入賞口が開放されるようになっている。
【０００３】
上述の第３種始動口においては、遊技盤に固定され、遊技球が入球可能な開口部を有する固定部材と、この固定部材の案内筒部内に回転可能に収容され、開口部に入球した遊技球を収容可能な凹部を有する回転移送体と、この回転移送体を回転させるモータとを有し、固定部材の開口部に入球した遊技球を、回転移送体の凹部に収容して回転方向へ移送した後、所定の回転位置で遊技盤の後面側に排出するようにしたものがある（例えば、特許文献１参照）。
【特許文献１】特開２００３−４７７５１号公報
【発明の開示】
【発明が解決しようとする課題】
【０００４】
しかし、上述のような遊技機の第３種始動口においては、固定部材における案内筒部の後面が遊技球が通過可能な領域を残して閉塞されているため、モータの回転軸に対して回転移送体を連結する場合には、モータを固定部材の後側に固定した状態で、回転移送体を固定部材の前側から案内筒部内に収容して、モータの回転軸に連結させなければならず、組み付け作業が面倒である問題を有する。
【０００５】
また、回転移送体とモータとの間に固定部材を挟み込んだ状態で組み付けられているため、遊技盤に取り付けられている第３種始動口の故障等により、モータまたは回転移送体を遊技盤から取り外す場合には、固定部材を遊技盤に固定したまま回転移送体及びモータを遊技盤から取り外すことは困難であることから、入賞装置全体を遊技盤から取り外す面倒な作業を必要とする。
【０００６】
本発明は、上述のような従来の課題を解決するためになされたもので、その目的は、入賞装置の組み付け及び取り外しを容易に行うことができるようにした遊技機を提供することにある。
【課題を解決するための手段】
【０００７】
本発明によると、上記課題は、次のようにして解決される。
（１）遊技盤の前面に固定されるとともに、当該遊技盤の遊技領域に打ち込まれた遊技球が入球可能な開口部を有する固定部材と、当該固定部材に設けられた後面が開口する筒状の案内筒部内に回転可能に収容され、前記固定部材の後部に取り付けられるモータにより回転させられることにより、前記開口部に入球した遊技球を収容して回転方向へ移送可能な回転移送体とを有する入賞装置を備えた遊技機において、前記入賞装置は、さらに前記回転移送体と前記回転移送体の後方に配置される前記モータとの間に配置されて前記モータに固定されるとともに、前記固定部材の後部に着脱可能に固定される裏カバーと、当該裏カバーの後面を照射可能な光源と、前記裏カバーを前記固定部材に着脱可能に固定するためのねじを含み、前記固定部材は、前記案内筒部の後端に設けられ後方が開口する係合溝を有し、前記回転移送体は、前記固定部材の前記案内筒部内に前記案内筒部の後方から回転可能に収容可能であるとともに、外周に設けられ前記固定部材の前記開口部に入球した遊技球を収容して回転方向へ移送可能な凹部と、回転面に設けられ縞模様の光拡散部を設けた透光性のレンズ部を有し、前記裏カバーは、前端が閉塞され後端が開口し、前記固定部材の前記案内筒部内に嵌合可能な筒状部と、当該筒状部の外周に設けられ、前記案内筒部の係合溝に後方から係合し前記固定部材に対する前記裏カバーの位置決めを行う係合突部と、前記固定部材の前記案内筒部の後面の開口を閉塞するとともに、前記回転移送体の前記レンズ部の後面に対向し、かつ後面が前記光源に照射される透光性のレンズ部と、当該レンズ部に設けられ、前記回転移送体の回転に伴って、前記回転移送体の前記レンズ部の前面に見える模様が縞模様、格子模様に刻々と変化しうるように形成される縞模様の光拡散部と、前記裏カバーの前記レンズの下部にあって前記回転移送体の前記凹部に移送された遊技球を後方へ排出可能な通過窓とを有し、前記ねじは、前記モータが前記裏カバーに固定され、かつ前記回転移送体が前記モータの回転軸に連結された状態で、前記裏カバーを前記裏カバーの後方から前記固定部材に着脱可能に固定し得る。
【０００９】
（２）上記(１)項において、前記回転移送体に、前記凹部に収容された遊技球が前記凹部から前方へ落ちないように前記凹部の前面を閉鎖する壁部を設ける。
【発明の効果】
【００１３】
本発明によれば、次のような効果を奏することができる。
（ａ）請求項１記載の発明によると、回転移送体をモータの回転軸に連結した状態で、回転移送体を固定部材の後方から案内筒部内に収容し得るように、案内筒部の後面を開口したことにより、モータと回転移送体とを同時に固定部材の後方から組み付けることができ、組み付け作業の効率化を図ることができる。
また、固定部材に対する裏カバーの位置決めを行うことができ、裏カバーを正規の位置に確実に固定することができる。
さらに、回転移送体の回転に伴って、回転移送体のレンズ部に見える模様が、縞模様と格子模様とに刻々と変化しうることにより、変化に富んだ光演出及び装飾効果を得ることができる。
【００１５】
（ｂ）請求項２記載の発明によると、固定部材の案内筒部の前面を閉塞することなく、回転移送体の凹部に収容された遊技球を確実に回転方向へ移送させることができる。
【発明を実施するための最良の形態】
【００１９】
以下、本発明の一実施形態を、図面に基づいて説明する。
図１は、本発明の一実施形態を適用した遊技機の正面図である。なお、以下の説明では、図１における紙面手前を遊技機の前方とし、紙面奥を同じく後方とする。
【００２０】
図１に示すように、遊技機をなすパチンコ機(１)の前面の上半分には、正面視ほぼ正方形の遊技盤(２)が設けられ、この遊技盤(２)の前面には、ガイドレール(３)によって包囲された円形状の遊技領域(４)が設けられている。なお、遊技領域(４)の前面は、パチンコ機(１)の左側端部に開閉可能に枢支された前扉(５)により視認可能に覆われている。
【００２１】
遊技盤(２)の下方には、遊技盤(２)の後面側に設けられた発射装置（図示略）に遊技球を供給及び入賞時の賞球を受け入れ可能な受皿(６)が設けられ、この受皿(６)の右側下方には、発射ハンドル(７)が設けられている。発射ハンドル(７)が回転操作されると、受皿(６)に貯留されている遊技球は、発射装置により発射され、ガイドレール(３)に誘導されて遊技領域(４)に打ち込まれる。
【００２２】
なお、遊技領域(４)には、遊技釘が多数配置され、遊技領域(４)に打ち込まれた遊技球は、遊技釘に当接しながら流下することになるが、該遊技釘は、図面簡素化のため省略してある。
【００２３】
遊技領域(４)における中央付近の上部には、図柄、数字等で構成される複数種類の識別情報を変動及び停止表示可能な左右の図柄表示部(8a)(8b)を有する表示装置(８)が配置されている。
【００２４】
遊技領域(４)における表示装置(８)の下方には、図柄始動口(９)が配置され、また図柄始動口(９)の下方には、特定入賞装置(10)が配置されている。さらに、遊技領域(４)における右部には、本発明に係わる入賞装置をなす大入賞口作動始動口（または第３種始動口）(11)が配置され、この大入賞口作動始動口(11)の下方には、大入賞口(12)が配置されている。なお、図１における(13)〜(16)は、一般入賞口で、遊技球が入賞することにより、遊技盤(２)の後面側に設けられた賞球払出機（図示略）により、所定数の遊技球が賞球として受皿(６)内に払い出される。
【００２５】
遊技領域(４)に打ち込まれた遊技球が、図柄始動口(９)に入賞した場合には、図柄始動口(９)内に設けられたセンサー（図示略）により遊技球の入賞（通過を含む）が検出され、これを契機に表示装置(８)の図柄表示部(8a)(8b)に表示されている識別情報の変動表示が開始する。そして、識別情報の変動表示開始から所定時間経過すると、識別情報の変動表示が停止し、その停止時の左右の識別情報の停止表示形態が予め定められた特定の表示形態であるときには、特定入賞装置(10)の上部に設けられた可動片(10a)(10b)が逆ハ字状に所定時間開き、その間に、遊技球を特定入賞装置(10)の特定入賞口(10c)に入球させると、それを契機に遊技者に有利な特定遊技状態となる。特定遊技状態が発生した後は、遊技球を大入賞口作動始動口(11)に設けられた開口部(171)に入球させて、後述のように遊技球が遊技盤(２)の後面側に排出されることにより、これを契機に、大入賞口(12)の開閉板(12a)が遊技球が入賞しやすいように前方へ開き、所定時間経過するか、または大入賞口(12)に所定個数（例えば、１０個）の遊技球が入賞すると、開閉板(12a)が閉じられる。次いで、新たな遊技球を再び大入賞口作動始動口(11)の開口部(171)に入球させると、大入賞口(12)の開閉板(12a)が再び開放する。この動作を所定回数繰り返した後、特定遊技状態は終了する。
【００２６】
次に、本発明に係わる入賞装置をなす大入賞口作動始動口(11)について詳細に説明する。図２は、大入賞口作動始動口の斜視図、図３、４は、大入賞口作動始動口の分解斜視図である。なお、図２、３における左斜め下方及び図４における左斜め上方を大入賞口作動始動口の前方とし、図２、３における右斜め上方及び図４における右斜め下方を同じく後方とする。
【００２７】
大入賞口作動始動口(11)は、遊技盤(２)面に固定される固定部材(17)と、固定部材(17)に対して後方から着脱可能で、かつ後述の回転移送体(18)、裏カバー(20)、ＬＥＤ基板(22)、取付体(21)及びモータ(19)を含む回転ユニット(30)とにより形成される。
【００２８】
固定部材(17)は、合成樹脂製で形成されるとともに、前後面が開口する円筒状の案内筒部(172)と、案内筒部(172)の外周に設けられた扁平状のフランジ部(173)とを有し、前方を向く複数のねじ(23)をもって、フランジ部(173)を遊技盤(２)面に締結することによって、遊技盤(２)の前面に固定される。なお、固定部材(17)を遊技盤(２)に固定する時期は、回転ユニット(30)を固定部材(17)に対して組み付けた後に行われる。
【００２９】
案内筒部(172)は、フランジ部(173)の前面から所定量前方へ突出するとともに、上部には、遊技球が入球（通過）可能な開口部(171)が設けられ、また、内周面の下部には、後ろ向き下り傾斜の傾斜溝(174)が設けられている。
【００３０】
固定部材(17)におけるフランジ部(173)の後面側には、主に図４に示すように、案内筒部(172)とほぼ同径の円筒フランジ部(175)、及び後方へ所定量突出する左右２個の突部(176)が設けられている。突部(176)は、回転ユニット(30)が組み付けられた固定部材(17)を遊技盤(２)に固定する際、遊技盤(２)に設けられた位置決め孔(2a)（図２参照）に嵌合されることにより、遊技盤(２)に対する大入賞口作動始動口(11)の位置決めを行なうものである。
【００３１】
円筒フランジ部(175)は、フランジ部(173)の後面から後方へ所定量突出するとともに、上部には、前後方向を向く左右の係合溝(177)が設けられ、また、下部には、傾斜溝(174)の後部に連続する誘導溝(178)、及び誘導溝(178)により誘導された遊技球を、遊技盤(２)の後面側へさらに誘導し得るように延出された左右１対の延出部(179)(179)が設けられている。
【００３２】
固定部材(17)におけるフランジ部(173)の前面下部には、色付きの模様部(17b)が施された装飾部材(17a)が設けられている。
【００３３】
図５は、回転ユニット(30)の分解斜視図を示し、同図に示すように、回転ユニット(30)は、減速機を内蔵したモータ(19)と、モータ(19)の前側に固定される取付体(21)と、取付体(21)の前部に固定される裏カバー(20)と、取付体(21)と裏カバー(20)との間に固定されるＬＥＤ基板(22)と、モータ(19)の回転軸(19a)に連結されるとともに、固定部材(17)の案内筒部(172)内に回転可能に収容される回転移送体(18)とを含んで形成される。
【００３４】
モータ(19)は、前部に取付体(21)を前方を向く２本のねじ(26)により固定するとともに、外周面の一部が平坦に切削された回転軸(19a)には、取付体(21)、ＬＥＤ基板(22)及び裏カバー(20)を貫通する前後方向を向くシャフト(24)を介して、回転移送体(18)が連結される。なお、シャフト(24)は、裏カバー(20)に嵌合される軸受(31)により回転可能に支持される。また、回転移送体(18)は、シャフト(24)の前端に後方を向くねじ(32)により抜止め固定される。
【００３５】
裏カバー(20)は、透明の合成樹脂製で前後方向を向く有底円筒状に形成されるとともに、取付体(21)の前部に前方を向く３本のねじ(27)により固定されるとともに、固定部材(17)における案内筒部(172)の後面を円板状のレンズ部(203)により閉塞しうるように、前方を向く２本のねじ(25)（図３、４参照）により固定部材(17)の後部に着脱可能に固定される。これにより、モータ(19)は、取付体(21)及び裏カバー(20)を介して、固定部材(17)の後部に着脱可能に取り付けられる。
【００３６】
なお、本実施形態においては、取付体(21)と裏カバー(20)とを別体として形成したが、これに変えて、取付体(21)と裏カバー(20)とを一体的に形成しても良い。この場合には、モータ(19)は、裏カバー(20)に直接固定される。
【００３７】
裏カバー(20)の外周上部には、固定部材(17)の係合溝(177)に対して円筒フランジ部(175)の円周方向へ係合可能なＴ字型の左右の係合突部(201)が設けられ、また、レンズ部(203)の下部には、回転移送体(18)の後述の凹部(181)に収容された遊技球を後方へ排出可能とする半円状の通過窓(202)が設けられている。裏カバー(20)を固定部材(17)の後部に固定する場合には、固定部材(17)の円筒フランジ部(175)内に裏カバー(20)を嵌合するとともに、係合突部(201)を係合溝(177)に係合することにより、固定部材(17)に対する裏カバー(20)の円周方向の位置決めを確実に行うことができる。
【００３８】
図１１は、裏カバー(20)の正面図、図１２は、裏カバー(20)の後面図をそれぞれ示す。裏カバー(20)のレンズ部(203)は、光透過性であるとともに、後面には、図１２に示すように、直線状の凹凸が施される光拡散部(204)が刻設されている。これにより、レンズ(203)の前面には、縞模様の透視模様が視認される。
【００３９】
回転移送体(18)は、透明な合成樹脂製で前後方向を向く有底円筒状に形成されるとともに、シャフト(24)を介して、モータ(19)の回転軸(19a)に予め連結された状態で、固定部材(17)の後方から後面が開口した案内筒部(172)内に回転可能に収容される。案内筒部(172)内に収容された回転移送体(18)は、モータ(19)により、一定の周期（例えば１０秒間）で反時計方向へ一回転するように回転させられる。
【００４０】
回転移送体(18)の外周には、固定部材(17)の開口部(171)に入球した遊技球を１個だけ収容可能な大きさで、かつ後方が開口した凹部(181)が設けられている。凹部(181)の前面は、凹部(181)に収容された遊技球が前方へこぼれ落ちないように壁部(182)により閉鎖されている。壁部(182)を設けることにより、固定部材(17)における案内筒部(172)の前面を開口させることができ、固定部材(17)の形状を簡単にして、成形を容易に行うことができる。
【００４１】
上述により、特定遊技状態において、遊技領域(４)に打ち込まれた遊技球が固定部材(17)の開口部(171)に入球すると、一定周期で回転している回転移送体(18)の凹部(181)が最上位置に達するまで、遊技球は開口部(171)内で待機する。そして、図６及び図８に示すように、回転移送体(18)の凹部(181)が最上位置に達すると、開口部(171)内に待機している遊技球(Ａ)が凹部(181)に収容され、回転移送体(18)の回転に伴って、最下位置に向けて移送される。そして、凹部(181)が最下位置に達すると通過窓(202)と前後方向に重合し、遊技球(Ａ)は、図７及び図９に示すように、固定部材(17)の傾斜溝(174)により後方へ転動させられて、通過窓(202)を通過した後、誘導溝(178)、延出部(179)により遊技盤(２)の後面側に誘導される。遊技盤(２)の後面側へ誘導された遊技球は、取付体(21)の受け止め部(211)に設けられたセンサー（図示略）により排出が検知され、これを契機に大入賞口(12)の開閉板(12a)が開放する。センサーを通過した遊技球は、遊技盤(２)の後面側に設けられた集合樋（図示略）に排出される。
【００４２】
図１３は、回転移送体(18)の正面図、図１４は、回転移送体(18)の後面図をそれぞれ示す。回転移送体(18)は、裏カバー(20)のレンズ部(203)の前面に対向する光透過性のレンズ部(183)を有している。レンズ部(183)の後面側には、直線状の凹凸が施された光拡散部(204)が刻設されている。これにより、レンズ部(183)の前面には、縞模様の透視模様が視認される。
【００４３】
ＬＥＤ基板(22)は、裏カバー(20)おける光拡散部(204)の後方に配置されるとともに、前面には、裏カバー(20)の光拡散部(204)を照射可能な光源である３個の発光ダイオード(221)が実装されている。裏カバー(20)の光拡散部(204)を照射する光は、レンズ部(203)を透過して、回転移送体(18)の光拡散部(184)をも照射する。これにより、大入賞口作動始動口(11)を前面から見た場合、回転移送体(18)のレンズ部(183)の前面が光り、光による演出、装飾効果を得ることができる。また、回転移送体(18)の回転に伴って、回転移送体(18)の光拡散部(184)及び裏カバー(20)の光拡散部(204)により、回転移送体(18)のレンズ部(183)の前面に見える透視模様が縞模様、格子模様への刻々と変化するため、変化に富んだ光の演出及び装飾効果を得ることができる。なお、３個の発光ダイオード(221)は、モータ(19)における回転軸(19a)の回転方向に沿って間隔を置いて並設されるとともに、裏カバー(20)の外周面を形成する円形フランジ部(205)の内側になるように配置されている。
【００４４】
発光ダイオード(221)は、回転移送体(18)が回転している最中、常時点灯（点滅を含む）しているものとするが、これに限るものでなく、通常遊技状態（特定遊技状態以外の遊技状態）においては消灯していて、特定遊技状態になった場合のみに点灯するようにしても良い。また、３個の発光ダイオード(221)の発光色をそれぞれ異ならせたり、フルカラー発光ダイオードとすることにより、通常遊技状態と特定遊技状態とで発光色を変化させて、回転移送体(18)におけるレンズ部(183)の色が変化するようにしても良い。このようにした場合には、特定遊技状態で回転移送体(18)の存在を目立たせることができ、遊技者に対して特定遊技状態である旨を報知することができる。また、固定部材(17)の開口部(171)を通過した遊技球や回転移送体(18)の凹部(181)に収容された遊技球を検出することにより、遊技球の有無によって色を変化させても良い。
【００４５】
次に、大入賞口作動始動口(11)の組み付け工程ついて説明する。先ず回転移送体(18)、裏カバー(20)、ＬＥＤ基板(22)、モータ(19)を含む回転ユニット(30)を予め形成した後、回転移送体(18)をモータ(19)の回転軸(19a)に予め連結状態で、回転移送体(18)を固定部材(17)の後方から案内筒部(172)内に収容するとともに、裏カバー(20)の係合突部(201)を固定部材(17)の係合溝(177)に係合して位置決めした状態で、裏カバー(20)をねじ(25)により固定部材(17)の後部に着脱可能に固定する。これにより、回転移送体(18)及びモータ(19)を固定部材(17)に対して後方から同時に組み付けることができる。
【００４６】
上述のように組み付けられた大入賞口作動始動口(11)は、遊技盤(２)に設けられた取付孔(2b)（図２参照）に前方から挿入するとともに、固定部材(17)のフランジ部(173)をねじ(23)により遊技盤(２)面に締結することにより遊技盤(２)に固定される。
【００４７】
また、大入賞口作動始動口(11)の故障等により、モータ(19)、回転移送体(18)を遊技盤(２)から取り外す必要が生じた場合には、裏カバー(20)を固定部材(17)に固定しているねじ(25)を外すことにより、固定部材(17)を遊技盤(２)に固定したまま、モータ(19)、裏カバー(20)及び回転移送体(18)等を含む回転ユニット(30)を遊技盤(２)から簡単に取り外すことができる。
【００４８】
（変形例）
（ｉ）固定部材(17)の案内筒部(172)を前後面が開口する円筒状としたが、これに代えて、案内筒部(172)の前面を閉塞して、後面のみを開口するようにしても良い。
（ii）回転移送体(18)の凹部(181)の後面を遊技球が後方へこぼれ落ちないように閉鎖するとともに、固定部材(17)における案内筒部(172)の内周面最下位置に遊技球が落下可能な落し込み溝を設け、回転移送体(18)の凹部(181)が最下位置に達したとき、凹部(181)に収容されている遊技球を落し込み溝に落下させて遊技盤(２)の後面側へ排出するようにしても良い。このようにした場合には、裏カバー(20)を省略することができる。
（iii）大入賞口作動始動口(11)を、本実施形態における図柄始動口(９)やその他の始動口に適用しても良い。
【図面の簡単な説明】
【００４９】
【図１】本発明における一実施形態を適用した遊技機の正面図である。
【図２】前方から見た大入賞口作動始動口の斜視図である。
【図３】前方から見た大入賞口作動始動口の分解斜視図である。
【図４】後方から見た大入賞口作動始動口の分解斜視図である。
【図５】前方から見た大入賞口作動始動口における回転ユニットの分解斜視図である。
【図６】大入賞口作動始動口の正面図である。
【図７】図６と異なる状態にある大入賞口作動始動口の正面図である。
【図８】図６におけるVIII−VIII線に沿う縦断面図である。
【図９】図７におけるIX−IX線に沿う縦断面図である。
【図１０】図７におけるＸ矢視図である。
【図１１】裏カバーの正面図である。
【図１２】裏カバーの後面図である。
【図１３】回転移送体の正面図である。
【図１４】回転移送体の後面図である。
【符号の説明】
【００５０】
(１)パチンコ機（遊技機）
(２)遊技盤
(2a)位置決め孔
(2b)取付孔
(３)ガイドレール
(４)遊技領域
(５)前扉
(６)受皿
(７)発射ハンドル
(８)表示装置
(8a)(8b)図柄表示部
(９)図柄始動口
(10)特定入賞装置
(10a)(10b)可動片
(10c)特定入賞口
(11)大入賞口作動始動口（入賞装置）
(12)大入賞口
(12a)開閉板
(13)〜(16)一般入賞口
(17)固定部材
(17a)装飾部材
(17b)模様部
(171)開口部
(172)案内筒部
(173)フランジ部
(174)傾斜溝
(175)円筒フランジ部
(176)突部
(177)係合溝
(178)誘導溝
(179)延出部
(18)回転移送体
(181)凹部
(182)壁部
(183)レンズ部
(184)光拡散部
(19)モータ
(19a)回転軸
(20)裏カバー
(201)係合突部
(202)通過窓
(203)レンズ部
(204)光拡散部
(205)円形フランジ部
(21)取付体
(211)受け止め部
(22)ＬＥＤ基板
(221)発光ダイオード
(23)ねじ
(24)シャフト
(25)(26)(27)ねじ
(30)回転ユニット
(31)軸受
(32)ねじ
【図１】
0004643179.tif 000002
【図２】
0004643179.tif 000003
【図３】
0004643179.tif 000004
【図４】
0004643179.tif 000005
【図５】
0004643179.tif 000006
【図６】
0004643179.tif 000007
【図７】
0004643179.tif 000008
【図８】
0004643179.tif 000009
【図９】
0004643179.tif 000010
【図１０】
0004643179.tif 000011
【図１１】
0004643179.tif 000012
【図１２】
0004643179.tif 000013
【図１３】
0004643179.tif 000014
【図１４】
0004643179.tif 000015